(57)【要約】【課題】ネットワーク調整及び音の定位調整の一連作業を効率的に行うための支援が可能となる「オーディオ装置」を提供することである。【解決手段】音出力の複数のチャンネルを有するオーディオ装置であって、  ネットワーク調整モードにおいて、調整対象となるチャンネルの組を有効にし、ネットワークパラメータの調整が終了する毎にその有効とするチャンネルの組を切替えるネットワーク調整時チャンネル切替え手段（１０、１７、２２）と、前記複数のチャンネル全てについて前記ネットワーク調整モードでの調整が終了したときに、定位調整モードに移行させる第１モード移行制御手段（１０）と、前記定位調整モードにおいて、調整対象となるチャンネルの組を有効にし、遅延量の調整が終了する毎にその有効とするチャンネルの組を切替える定位調整時チャンネル切替え手段（１０、１７、２２）とを有する構成となる。【選択図】図１
2010161451.tif 000002
【特許請求の範囲】
【請求項１】
音出力の複数のチャンネルを有するオーディオ装置であって、
異なる周波数帯域を受け持つチャンネルについての低域と高域の周波数特性を決めるネットワークパラメータを調整するためのネットワーク調整モードにおいて、調整対象となるチャンネルを有効にし、ネットワークパラメータの調整が終了する毎にその有効とするチャンネルを切替えるネットワーク調整時チャンネル切替え手段と、
前記複数のチャンネル全てについて前記ネットワーク調整モードでの調整が終了したときに、前記複数のチャンネルについての音出力の遅延量を調整するための定位調整モードに移行させる第１モード移行制御手段と、
前記定位調整モードにおいて、調整対象となるチャンネルを有効にし、遅延量の調整が終了する毎にその有効とするチャンネルを切替える定位調整時チャンネル切替え手段とを有するオーディオ装置。
【請求項２】
前記複数のチャンネル全てについて定位調整モードでの調整が終了したときに、既に前記ネットワーク調整モードでの調整がなされた前記複数のチャンネルについてのネットワークパラメータの再調整のために前記ネットワーク調整モードに移行させる第２モード移行制御手段を有する請求項１記載のオーディオ装置。
【請求項３】
前記複数のチャンネルについてのネットワークパラメータの再調整がなされる前に、既にネットワーク調整モードでの調整にて得られているネットワークパラメータの補正を行う補正手段を有する請求項２記載のオーディオ装置。
【請求項４】
前記ネットワーク調整モードにおいて、該ネットワーク調整モードを示す情報を表示ユニットに表示させ、前記定位調整モードにおいて、該定位調整モードを示す情報を前記表示ユニットに表示させる調整モード表示制御手段を有する請求項１乃至３のいずれかに記載のオーディオ装置。
【請求項５】
ネットワーク調整モードにおいて、有効となるチャンネルを示す情報を前記表示手段に表示させるネットワーク調整時チャンネル表示制御手段を有する請求項４記載のオーディオ装置。
【請求項６】
前記定位調整モードにおいて、有効となるチャンネルを示す情報を前記表示ユニットに表示させる定位調整時チャンネル表示制御手段を有する請求項４または５記載のオーディオ装置。
【発明の詳細な説明】
【技術分野】
【０００１】
本発明は、音出力の複数のチャンネルを有するオーディオ装置に関する。
【背景技術】
【０００２】
従来、音出力の複数のチャンネルを有し、ユーザがチャンネルを切替えながら各チャンネルの音出力の遅延量を調整することによって音の定位調整を行うことのできるオーディオ装置が提案されている（特許文献１参照）。この従来のオーディオ装置によれば、任意の位置のユーザに対して所定の音場を形成することができるようになる。
【先行技術文献】
【特許文献】
【０００３】
【特許文献１】特許第３９０９７４９号公報
【発明の概要】
【発明が解決しようとする課題】
【０００４】
ところで、音の定位調整では、ユーザは、音を出力すべきチャンネルを切替えるための操作と、各チャンネルの音出力の遅延量を調整するための操作とを行って、更に、実際に各チャンネル（スピーカ）からの出力音を聴いて音の定位判断をしなければならず、その調整作業は、一般に煩わしいものとなっている。また、実際に各チャンネルからの出力音を聴いて適切な音の定位判断を行うためには、異なる周波数帯域を受け持つチャンネルの低域と高域の周波数特性を決めるネットワークパラメータの調整が適切になされていることが好ましい。即ち、ネットワークパラメータの調整を行うための所謂ネットワーク調整と、音の定位調整とは一連のものとして行うことが好ましい。
【０００５】
しかし、調整作業の煩わしい音の定位調整の前に、調整対象のチャンネルを切替えるための操作と、各チャンネルのネットワークパラメータを調整するための操作とを行って、実際に各チャンネル（スピーカ）からの出力音を聴いて音響効果が適切であるか否かを判断するなど、更に、煩わしいネットワーク調整のための作業を行わなければならない。
【０００６】
本発明は、このような事情に鑑みてなされたもので、ネットワーク調整及び音の定位調整の一連作業を効率的に行うための支援が可能となるオーディオ装置を提供するものである。
【課題を解決するための手段】
【０００７】
本発明に係るオーディオ装置は、音出力の複数のチャンネルを有するオーディオ装置であって、異なる周波数帯域を受け持つチャンネルについての低域と高域の周波数特性を決めるネットワークパラメータを調整するためのネットワーク調整モードにおいて、調整対象となるチャンネルを有効にし、ネットワークパラメータの調整が終了する毎にその有効とするチャンネルを切替えるネットワーク調整時チャンネル切替え手段と、前記複数のチャンネル全てについて前記ネットワーク調整モードでの調整が終了したときに、前記複数のチャンネルについての音出力の遅延量を調整するための定位調整モードに移行させる第１モード移行制御手段と、前記定位調整モードにおいて、調整対象となるチャンネルを有効にし、遅延量の調整が終了する毎にその有効とするチャンネルを切替える定位調整時チャンネル切替え手段とを有する構成となる。
【０００８】
このような構成により、ネットワーク調整モードにおいて、調整対象となるチャンネルが有効にされ、ユーザによるネットワークパラメータの調整が終了する毎にその有効とされるチャンネルが切り替えられる。そのようにして複数のチャンネル全てについてのネットワーク調整モードでの処理が終了すると、前記ネットワーク調整モードから定位調整モードに移行され、その定位調整モードにおいて、調整対象となるチャンネルが有効され、ユーザによる遅延量の調整が終了する毎にその有効とされるチャンネルが切り替えられる。
【０００９】
また、本発明に係るオーディオ装置において、前記複数のチャンネル全てについて定位調整モードでの調整が終了したときに、既に前記ネットワーク調整モードでの調整がなされた前記複数のチャンネルについてのネットワークパラメータの再調整のために前記ネットワーク調整モードに移行させる第２モード移行制御手段を有する構成とすることができる。
【００１０】
このような構成により、ネットワーク調整モード及び定位調整モードそれぞれでの調整が終了した後に、再度のネットワーク調整モードに移行され、ユーザは、ネットワーク調整モードでの調整が既になされた複数のチャンネルについてのネットワークパラメータの再調整を行うことができるようになる。
【００１１】
更に、本発明に係るオーディオ装置において、前記複数のチャンネルについてのネットワークパラメータの再調整がなされる前に、既にネットワーク調整モードでの調整にて得られているネットワークパラメータの補正を行う補正手段を有する構成とすることができる。
【００１２】
このような構成により、ネットワーク調整モードでのネットワークパラメータの再調整がなされるのに先立って、既に得られているネットワークパラメータが補正されることになるので、ユーザによる前記ネットワークパラメータの再調整は微調整で済ませることができるようになり、その調整を全体として効率的に行うことができるようになる。
【００１３】
また、本発明に係るオーディオ装置において、前記ネットワーク調整モードにおいて、該ネットワーク調整モードを示す情報を表示ユニットに表示させ、前記定位調整モードにおいて、該定位調整モードを示す情報を前記表示ユニットに表示させる調整モード表示制御手段を有する構成することができる。
【００１４】
このような構成により、ユーザは、表示ユニットに表示される情報を見ることによって、現在ネットワーク調整モード、あるいは定位調整モードのいずれのモードでの調整が可能であるかを知ることができる。従って、ユーザは、前記ネットワーク調整モード及び定位調整モードのいずれかにすべきかについて迷うことなく、その可能となるモードでの調整を行えばよい。
【００１５】
更に、本発明に係るオーディオ装置において、ネットワーク調整モードにおいて、有効となるチャンネルを示す情報を前記表示手段に表示させるネットワーク時調時チャンネル表示制御手段を有する構成とすることができる。
【００１６】
このような構成により、ネットワーク調整モードにおいて、ユーザは、表示ユニットに表示されている情報を見ることにより、現在有効となってネットワークパラメータの調整が可能となるチャンネルを知ることができる。従って、ユーザは、いずれのチャンネルについて調整を行うべきかを迷うことなく、その調整が可能となるチャネルについてネットワークパラメータを調整すればよい。
【００１７】
また、本発明に係るオーディオ装置において、前記定位調整モードにおいて、有効となるチャンネルを示す情報を前記表示ユニットに表示させる定位調整時チャンネル表示制御手段を有する構成とすることができる。
【００１８】
このような構成により、定位調整モードにおいて、ユーザは、表示ユニットに表示されている情報を見ることによって、現在有効となって遅延量の調整が可能となるチャンネルを知ることができる。従って、ユーザは、いずれのチャンネルについて遅延量の調整を行うべきかを迷うことなく、その調整が可能となるチャンネルについて遅延量を調整すればよい。
【発明の効果】
【００１９】
本発明に係るオーディオ装置によれば、ネットワーク調整モードにおいてユーザがネットワークパラメータの調整を行う際に調整対象として有効となるチャンネルの組が順次切り替えられ、そのネットワーク調整モードでの調整が終了すると、定位調整モードに移行され、該定位調整モードにおいてユーザが遅延量を調整する際に調整対象として有効となるチャンネルの組が順次切り替えられるようになるので、ネットワーク調整及び音の定位調整の一連作業を効率的に行うための支援が可能となる。
【図面の簡単な説明】
【００２０】
【図１】本発明の実施の一形態に係るオーディオ装置を示すブロック図である。
【図２】図１に示すオーディオ装置においてなされる処理の手順を示すフローチャート（その１）である。
【図３】図１に示すオーディオ装置においてなされる処理の手順を示すフローチャート（その２）である。
【図４】調整モードの選択メニューの表示例を示す図である。
【図５】ネットワーク・定位連動調整モードにおける実行可能な調整種類の表示例（その１）を示す図である。
【図６】ネットワーク調整における調整可能なチャンネルの表示例（その１）を示す図である。
【図７】ネットワーク調整における調整可能なチャンネルの表示例（その２）を示す図である。
【図８】ネットワーク・定位連動調整モードにおける実行可能な調整種類の表示例（その２）を示す図である。
【図９】定位調整における調整可能なチャンネルの表示例を示す図である。
【図１０】ネットワーク調整と定位調整の流れを示す図である。
【発明を実施するための形態】
【００２１】
以下、本発明の実施の形態について図面を用いて説明する。
【００２２】
本発明の実施の一形態に係るオーディオ装置は、図１に示すように構成される。このオーディオ装置は車載用のものである。
【００２３】
図１において、このオーディオ装置は、高音用の左側スピーカ（以下、この実施の態様の説明において、左ツイータという）２５Ｌ、高音用の右側スピーカ（以下、この実施の形態の説明において、右ツイータという）２５Ｒ、低音用の左側スピーカ（以下、この実施の形態において、左ウーハという）２６Ｌ、及び低音用の右側スピーカ（以下、この実施の形態において、右ウーハという）２６Ｒを有している。左ツイータ２５Ｌは、車室内の左前方所定位置に設置され、右ツイータ２５Ｒは、車室内の右前方所定位置に設置されている。また、左ウーハ２６Ｌは、車室内の左後方所定位置に設置され、右ウーハ２６Ｒは、車室内の右後方所定位置に設置されている。これら４つのスピーカにより、２つの左側チャンネル（高音用チャンネル及び低音用チャンネル）及び２つの右側チャンネル（高音用チャンネル及び低音用チャンネル）の計４つの音出力のチャンネルが形成される。
【００２４】
また、このオーディオ装置は、ＣＤ等の演奏ソース１００（音源）から読み出される左側チャンネル用及び右側チャンネル用のデジタルオーディオ信号をそれぞれアナログの信号に変換するＤ／Ａ変換部２０、第１のネットワーク部２１ａ、第２のネットワーク部２１ｂ、チャンネル切替部２２、前記４つのチャンネルに対応した４つの遅延部２３ａｔ、２３ａｗ、２３ｂｗ、２３ｂｔ、及び４つのアンプ部２４ａｔ、２４ａｗ、２４ｂｗ、２４ａｔを有している。第１のネットワーク部２１ａには、左側の高音用チャンネル及び低音用チャンネルの高域と低域の周波数特性を決めるネットワークパラメータ（ハイパスフィルタ及びローパスフィルタのカットオフ周波数、先鋭度Ｑ、ゲイン等）が設定される。第２のネットワーク部２１ｂには、右側の高音用チャンネル及び低音用チャンネルの高域と低域の周波数特性を決めるネットワークパラメータが設定される。遅延部２３ａｔには、左ツイータ２５Ｌに供給すべきオーディオ信号の遅延量が設定され、遅延部２３ａｗには、左ウーハ２６Ｌに供給すべきオーディオ信号の遅延量が設定される。また、遅延部２３ｂｗには、右ウーハ２６Ｒに供給すべきオーディオ信号の遅延量が設定され、遅延部２３ｂｔには、右ツイータ２５Ｌに供給すべきオーディオ信号の遅延量が設定される。アンプ部２４ａｔ、２４ａｗ、２４ｂｗ、２４ｂｔのそれぞれは、遅延部２３ａｔ、２３ａｗ、２３ｂｗ、２３ｂｔを経たオーディオ信号を増幅して対応するスピーカ２５Ｌ、２６Ｌ、２５Ｒ、２６Ｒに供給する。
【００２５】
このオーディオ装置では、演奏ソース１００（音源）から読み出されてＤ／Ａ変換部２０により得られたアナログの左側チャンネル用のオーディオ信号は、第１のネットワーク部２１ａによって、更に、ネットワークパラメータに従った周波数特性となる高音域オーディオ信号と低音域オーディオ信号とに分配される。そして、高音域オーディオ信号は、チャンネル切替部２２、遅延部２３ａｔ及びアンプ部２４ａｔを介して左ツイータ２５Ｌに供給され、左側チャンネルにおける高音域の音が遅延部２３ａｔに設定される遅延量に従った遅延作用を受けて左ツイータ２５Ｌから出力される。また、低音域オーディオ信号は、チャンネル切替部２２、遅延部２３ａｗ及びアンプ部２４ａｔを介して左ウーハ２６Ｌに供給され、左側チャンネルにおける低音域の音が遅延部２３ａｗに設定される遅延量に従った遅延作用を受けて左ウーハ２６Ｌから出力される。
【００２６】
一方、Ｄ／Ａ変換部２０により得られるアナログの右側チャンネル用のオーディオ信号は、第２のネットワーク部２１ｂによって、更に、ネットワークパラメータに従った周波数特性となる高音域オーディオ信号と低音域オーディオ信号とに分配される。そして、高音域オーディオ信号は、チャンネル切替部２２、遅延部２３ｂｔ及びアンプ部２４ｂｔを介して右ツイータ２５Ｒに供給され、右側チャンネルにおける高音域の音が遅延部２３ｂｔに設置される遅延量に従った遅延作用を受けて右ツイータ２５Ｒから出力される。また、低音域オーディオ信号は、チャンネル切替部２２、遅延部２３ｂｗ及びアンプ部２４ｂｗを介して右ウーハ２６Ｒに供給され、右側チャンネルにおける低音域の音が遅延部２３ｂｗに設定される遅延量に従った遅延作用を受けて右ウーハ２６Ｒから出力される。
【００２７】
更に、このオーディオ装置は、処理ユニット（ＣＰＵ）１０、表示部１１、操作部１２、パラメータ記録部１４、調整種別検出部１５、ネットワーク設定部１６、チャンネル切替制御部１７、遅延設定部１８及び補正演算部１９を有している。調整種別検出部１５は、操作部１２のユーザによる操作に基づいてユーザからの調整に係る操作指示を検出し、その操作指示を処理ユニット１０に提供する。処理ユニット１０はその操作指示に従った制御処理を実行する。ネットワーク設定部１６は、処理ユニット１０による制御のもと、操作部１２の操作によって調整されるネットワークパラメータを第１のネットワーク部２１ａ及び第２のネットワーク部２１ｂに設定する。チャンネル切替設定部１７は、処理ユニット１０からの指示に従って調整対象として有効にすべきチャンネルを切替えるようにチャンネル切替部２２を制御する。遅延設定部１８は、処理ユニット１０の制御のもと、操作部１２の操作によって調整される遅延量を各遅延部２３ａｔ、２３ａｗ、２３ｂｗ、２３ｂｔに設定する。
【００２８】
パラメータ記録部１４は、処理ユニット１０の制御のもと、ネットワーク設定部１６によって第１のネットワーク部２１ａ及び第２のネットワーク部２１ｂに設定されるネットワークパラメータを記録し、また、遅延設定部１８によって各遅延部２３ａｔ、２３ａｗ、２３ｂｗ、２３ｂｔに設定される遅延量を記録する。表示部１１は、処理ユニット１０の制御のもと、調整メニュー等を含む各種情報を表示する。補正演算部１９は、ネットワークパラメータの再調整に際して、パラメータ記録部１４に記録された既に設定されているネットワークパラメータに対する補正演算を実行する。
【００２９】
ユーザ（車両の乗員）は、操作部１２を操作することにより、自分の座席位置に適した音場を設定するための音の定位調整及び好みにあった再生音の高音域及び低音域の周波数特性を得るためのネットワーク調整を行うことができる。ユーザがこのような定位調整及びネットワーク調整を行う際、オーディオ装置では、図２及び図３に示す手順に従ってその調整を支援するための処理がなされる。
【００３０】
図２において、ユーザが操作部１２により調整に係る所定の操作を行うと、処理ユニット１０は、表示部１１に、例えば、図４に示すような選択可能な調整モードを一覧表示する調整メニューウィンドウを表示させる（Ｓ０）。この例では、各チャンネルのネットワークパラメータを調整するためのネットワーク調整モード（１．ネットワーク調整）、各チャンネルの出力音の遅延量を調整する定位調整モード（２．定位調整）及び前記ネットワーク調整モードと前記定位調整モードとを一連にしたネットワーク・定位連動調整モード（３．ネットワーク・定位連動調整）が選択可能な調整モードとして表示される。
【００３１】
ここで、表示部１１に表示される調整メニューウィンドウを見たユーザが操作部１２によってネットワーク・定位連動調整モードの選択操作を行うと、処理ユニット１０は、その選択操作に応じて、表示部１１に、例えば、図５に示すようなネットワーク・定位連動調整ウィンドウを表示させる。このネットワーク・定位連動調整ウィンドウでは、ネットワーク調整モードと定位調整モードとが実行されるべき調整モードとして表示され、更に、ネットワーク調整モードを指示するカーソル（▲参照）が表示される（Ｓ１）。ユーザは、このネットワーク・定位調整ウィンドウ（図５参照）の表示内容により、ネットワーク調整及び定位調整のうちのカーソルによって指示されるネットワーク調整を実行すべきであることを知ることができる。
【００３２】
ここで、ユーザが操作部１２によって調整開始の操作を行うと、処理ユニット１０は、ネットワーク調整についての調整開始イベントを取得する（Ｓ２）。これにより、当該オーディオ装置においてネットワーク調整が可能な状態となる。再生音の高音域及び低音域の周波数特性を決めるためのネットワーク調整は、左ツイータ２５Ｌの高音用チャンネル及び左ウーハ２６Ｌの低音用チャンネルからなる左側チャンネルと、右ツイータ２５Ｒの高音用チャンネル及び右ウーハ２６Ｒの低音用チャンネルからなる右側チャンネルとに分けてなされる。まず、左側チャンネルについての調整が可能となるように、処理ユニット１０からの指令に基づいたチャンネル切替制御部１７の制御のもとチャンネル切替部２２が、第１のネットワーク部２１ａと左側チャンネルに対応する各遅延部２３ａｔ、２３ａｗとを接続して左側チャンネルを有効にする（Ｓ３）。そして、処理ユニット１０は、例えば、図６に示すようなネットワーク調整ウィンドウを表示部１１に表示させる。このネットワーク調整ウィンドウでは、左側チャンネル及び右側チャンネルがネットワーク調整すべきチャンネルとして表示され、更に、左側チャンネルを指示するカーソル（▲参照）が表示される。ユーザは、このネットワーク調整ウィンドウ（図６参照）の表示内容により、左側チャンネル及び右側チャンネルのうちカーソルによって指示される左側チャンネルについてネットワーク調整を行うべきことを知ることができる。
【００３３】
この状態で、処理ユニット１０は、左側チャンネルのネットワーク調整が終了したか否かの判断を継続的に行う（Ｓ４）。ユーザは、表示部１１に表示されるネットワーク調整ウィンドウ（図６参照）を見て、左側チャンネルについてのネットワーク調整操作を始める。
【００３４】
ユーザによって提供された調整用ＣＤ（演奏ソース１００）から読み出されてＤ／Ａ変換部２０により得られた左側チャンネル用のオーディオ信号（アナログ信号）が、第１のネットワーク部２１ａによって、更に、ネットワークパラメータに従って高音域オーディオ信号と低音域オーディオ信号とに分配される。その高音域オーディオ信号がチャンネル切替部２２、遅延部２３ａｔ及びアンプ部２４ａｔを介して左ツイータ２５Ｌに供給され、左ツイータ２５Ｌから高音域の楽曲音が発せられる。また、第１のネットワーク部２１ａからの低音域オーディオ信号がチャンネル切替部２２、遅延部２３ａｗ及びアンプ部２４ａｗを介して左ウーハ２６Ｌに供給され、左ウーハ２６Ｌから低音域の楽曲音が発せられる。
【００３５】
ユーザは、左ツイータ２５Ｌ及び左ウーハ２６Ｌから発せられる高音域及び低音域の楽曲音を聴きながら高音帯域及び低音帯域の周波数特性を決めるネットワークパラメータ（ハイパスフィルタ及びローパスフィルタのカットオフ周波数、先鋭度Ｑ、ゲイン等）の調整操作を操作部１２にて行う。このようにネットワークパラメータの調整操作がなされると、ネットワーク設定部１６が、処理ユニット１０の制御のもと、第１のネットワーク部２１ａに設定されるネットワークパラメータをその調整操作に応じて順次変更する。第１のネットワーク部２１ａにおけるネットワークパラメータの変化により、左側チャンネルの高音域オーディオ信号と低音域オーディオ信号の周波数特性が変化し、左ツイータ２５Ｌ及び左ウーハ２６Ｌから発せられる高音域及び低音域の楽曲音の音質が変わる。
【００３６】
ユーザが、好みの音質になったとして、操作部１２にて調整終了の操作を行うと、処理ユニット１０は、左側チャンネルのネットワーク調整が終了したと判定し（Ｓ４でＹＥＳ）、前述したように順次変更されて最終的に第１のネットワーク部２１ａに設定されているネットワークパラメータをパラメータ記録部１４に記録する（Ｓ５）。その後、右側チャンネルについてのネットワーク調整が可能となるように、処理ユニット１０からの指令に基づいたチャンネル切替制御部１７の制御のもとチャンネル切替部２２が、第２のネットワーク部２１ｂと右側チャンネルに対応する各遅延部２３ｂｔ、２４ｂｗとを接続して有効となるチャンネルを左側チャンネルから右側チャンネルに切り替える（Ｓ６）。そして、処理ユニット１０は、ネットワーク調整ウィンドウにおいて左側チャンネルを指示する位置あったカーソル（図６参照）を、図７に示すように右側チャンネルを指示する位置に移動させる。左側チャンネルについてのネットワーク調整を終わらせたユーザは、このネットワーク調整ウィンドウ（図７参照）の表示内容により、カーソルによって指示される右側チャンネルについてネットワーク調整を行うべきことを知ることができる。
【００３７】
この状態で、処理ユニット１０は、右側チャンネルのネットワーク調整が終了したか否かの判断を継続的に行う（Ｓ７）。ユーザは、表示部１１に表示されるネットワーク調整ウィンドウ（図７参照）を見て、右側チャンネルについてのネットワーク調整操作を始める。
【００３８】
調整用ＣＤの再生が行われる際に得られる右側チャンネル用のオーディオ信号が、第２のネットワーク部２１ｂによって、更に、ネットワークパラメータに従って高音域オーディオ信号と低音域オーディオ信号に分配される。その高音域オーディオ信号がチャンネル切替部２２、遅延部２３ｂｔ及びアンプ部２４ｂｔを介して右ツイータ２５Ｒに供給され、右ツイータ２５Ｒから高音域の楽曲音が発せられる。また、第２のネットワーク部２１ｂからの低音域オーディオ信号がチャンネル切替部２２、遅延部２３ｂｗ及びアンプ部２４ｂｗを介して右ウーハ２６Ｒに供給され、右ウーハ２６Ｒから低音域の楽曲音が発せられる。
【００３９】
ユーザは、右ツイータ２５Ｒ及び右ウーハ２６Ｒから発せられる高音域及び低音域の楽曲音を聴きながら高音帯域及び低音帯域の周波数特性を決めるネットワークパラメータの調整操作を操作部１２にて行う。このようにネットワークパラメータの調整操作がなされると、前述した左側チャンネルの場合と同様に、ネットワーク設定部１６が、処理ユニット１０の制御のもと、第２のネットワーク部２１ｂに設定されるネットワークパラメータをその調整操作に応じて順次変更する。第２のネットワーク部２１ｂにおけるネットワークパラメータの変化により、右ツイータ２５Ｒ及び左ウーハ２６Ｒから発せられる高音域及び低音域の楽曲音の音質が変わり、ユーザは、好みの音質になると、操作部１２にて調整終了の操作を行う。すると、処理ユニット１０は、右側チャンネルのネットワーク調整が終了したと判定し（Ｓ７でＹＥＳ）、前述したように順次変更されて最終的に第２のネットワーク部２１ｂに設定されたネットワークパラメータをパラメータ記録部１４に記録する（Ｓ８）。
【００４０】
前述したようにして左側チャンネル及び右側チャンネルの全チャンネルについてのネットワークパラメータの調整が終了すると、処理が図３に示す手順に移行し、処理ユニット１０は、表示部１１の表示をネットワーク調整ウィンドウ（図７参照）から図８に示すネットワーク・定位連動調整ウィンドウに切り替える。このネットワーク・定位連動調整ウィンドウでは、現時点で実行可能となる調整モードが出力音の定位調整であることを表すように、定位調整モードを指示するカーソル（▲参照）が表示される（Ｓ１１）。ユーザは、このネットワーク・定位調整ウィンドウ（図８）の表示内容により、カーソルによって指示される定位調整を実行すべきであることを知ることができる。
【００４１】
ここで、ユーザが操作部１２によって調整開始の操作を行うと、処理ユニット１０は、定位調整についての調整開始イベントを取得する（Ｓ１２）。これにより、当該オーディオ装置において定位調整が可能な状態となる。各チャンネルの遅延量を調整する定位調整では、通常、ユーザ（右前座席の運転者）から最遠点にある左ウーハ２６Ｌから発せられる音を基準として、他のチャンネルの出力音の遅延量が決められる。従って、これに合わせて有効にされるチャンネルの組み合わせが切り替えられる。処理ユニット１０の指令に基づいたチャンネル切替制御部１７の制御のもとチャンネル切替部２２は、例えば、左ウーハ２６Ｌと左ツイータ２５Ｌとの組み合わせ、右ウーハ２６Ｒと右ツイータ２５Ｒとの組み合わせ、左ウーハ２６Ｌと右ウーハ２６Ｒとの組み合わせ、左ツイータ２５Ｌと右ツイータ２５Ｒとの組み合わせ、及び全スピーカの順で、チャンネルの切り替えを行う（Ｓ１３）。具体的には、有効となるチャンネルが前記切り替え順に従って切り替えられるように、第１のネットワーク部２１ａ及び第２のネットワーク部２１ｂと４つの遅延部２３ａｔ、２３ａｗ、２３ｂｗ、２３ｂｔとの接続切り替えがなされる。
【００４２】
そのチャンネル切替がなされる過程で、処理ユニット１０は、例えば、図９に示すような定位調整ウィンドウを表示部１１に表示させる。この定位調整ウィンドウでは、定位調整（遅延量調整）の対象となるチャンネルの組み合わせが表示され、現在有効となるチャンネルの組み合わせを指示するカーソル（▲参照）が表示される。そして、有効となるチャンネルの組み合わせが切り替わる毎にカーソルの位置が移動される。ユーザは、前記定位調整ウィンドウの表示内容により、定位調整の対象となるチャンネルの組み合わせを知ることができる。
【００４３】
前記チャンネル切替により有効となるチャンネルの組み合わせに対応する各スピーカに、前記調整用ＣＤの再生により得られる右側の高音域及び低音域オーディオ信号及び左側の高音域及び低音域オーディオ信号のうちのいずれかのオーディオ信号が供給され、そのスピーカから対応する音域の楽曲音が発せられる。ユーザは、この楽曲音を聴きながら、遅延量の調整操作を操作部１２にて行う。このように遅延量の調整操作がなされると、遅延量設定部１８が、処理ユニット１０の制御のもと、有効となったチャンネルに対応する遅延部２３に設定される遅延量をその調整操作に応じて順次変更する。この遅延量の変更により有効となるチャンネルのスピーカから発せられる楽曲音により形成される音場が変わる。
【００４４】
そして、ユーザが、ユーザの位置に適した音場が形成されたと判断して、操作部１２にて調整終了の操作を行うと、処理ユニット１０は、当該有効となるチャンネルについての遅延量調整が終了したと判定し（Ｓ１４でＹＥＳ）、前述したように順次変更されて最終的に対応する遅延部２３に設定されている遅延量をパラメータ記録部１４に記録する（Ｓ１５）。以後、全てのチャンネルの組み合わせについての遅延量の調整が終了するまで（Ｓ１６参照）、前記処理（Ｓ１３、Ｓ１４、Ｓ１５）が繰り返し実行される。
【００４５】
全てのチャンネルの組み合わせについての遅延量の調整が終了すると（Ｓ１６でＹＥＳ）、処理ユニット１０は、前記ネットワーク調整を再度行うか否かのメッセージを表示部１１に表示させる（Ｓ１７、図示略）。そして、ユーザが操作部１２にてネットワーク調整を再度行うことの選択操作を行うと（Ｓ１７でＹＥＳ）、ネットワーク調整のユーザによる実行の前に、処理ユニット１０の制御のもと、補正演算部１９が、パラメータ記録部１４に記録されているネットワークパラメータ及び遅延量を用いて当該ネットワークパラメータに対する補正演算を行う。この補正演算では、設定されるネットワークパラメータと遅延量との相関などを参考にして現在設定されている遅延量に適したネットワークパラメータとなるように、現在設定されているネットワークパラメータが所定のアルゴリズムに従って補正される。この補正演算により得られたネットワークパラメータは、処理ユニット１０の制御のもとネットワーク設定部１６によって第１のネットワーク部２１ａ及び／または第２のネットワーク部２１ｂに設定される。
【００４６】
前述したようなネットワークパラメータの補正演算が終了すると、処理が図２に示す手順に戻り、処理ユニット１０は、再度のネットワーク調整を支援するために、図６に示すネットワーク調整ウィンドウを表示部１１に表示させる（Ｓ１）。以後、前述したのと同様の処理（Ｓ２〜Ｓ８）がなされ、その処理の過程で、第１のネットワーク部２１ａ及び第２のネットワーク部２１ｂに再調整により得られた左側チャンネル用及び右側チャンネル用のネットワークパラメータが設定される。その後、処理が図３に示す手順に移行し、処理ユニットは、再度の定位調整を支援するために、図９に示す定位調整ウィンドウを表示部１１に表示させる（Ｓ１１）。以後、前述したのと同様の処理（Ｓ１２〜Ｓ１７）がなされ、その処理の過程で、各遅延部２３ａｔ、２３ａｗ、２３ｂｗ、２３ｂｔに再調整により得られた遅延量が設定される。そして、ユーザが操作部１２にてネットワーク調整を再度行わないことの選択操作を行うと（Ｓ１７でＮＯ）、調整に係る処理が終了する。以後、このオーディオ装置では、前述した処理にて設定されたネットワークパラメータ及び遅延量をもってＣＤ等の演奏ソース１００からの楽曲の再生処理がなされる。
【００４７】
なお、ネットワーク・定位連動調整モードについて説明したが、ネットワーク調整モードが選択された場合、オーディオ装置では、図２に示すＳ２〜Ｓ４、Ｓ６〜Ｓ７の処理が行われる。その過程で、ユーザは、前述したのと同様に、有効となる左側チャンネル及び右側チャンネルについてのネットワークパラメータの調整操作を行う。また、定位調整モードが選択された場合、オーディオ装置では、図３に示すＳ１２〜Ｓ１４、Ｓ１６の処理が行われる。その過程で、ユーザは、前述したのと同様に、有効となるチャンネルに対応した遅延部２３に対する遅延量の調整操作を行う。
【００４８】
前述したようなネットワーク・定位連動調整モードでの処理により、図１０に示すように、ネットワークが未設定（初期設定）で遅延量が未調整な状態（ａ）で、まず、ネットワーク調整がなされ、そのネットワークが設定Ａの状態（ｂ）となる。次いで、ネットワークが設定Ａの状態（ｂ）で、遅延量の調整がなされてその遅延量がＸの状態（ｃ）となる。前記設定Ａのネットワークが前記遅延量Ｘに影響された状態（ｃ）で、再度のネットワークの調整がなされて当該ネットワークが設定Ｂの状態（ｄ）となる。その後、遅延量Ｘが設定Ｂのネットワークに影響された状態（ｄ）で、再度の遅延量の調整がなされてその遅延量がＹとなる（ｅ）。その結果、最終的に、ネットワークが設定Ｂで、遅延量がＹの状態となる
【００４９】
このように、本実施の形態に係るオーディオ装置では、一連となるネットワーク調整と遅延量の調整（音の定位調整）とが繰り返し実行される。そして、その過程で、ユーザは、調整モードの切り替え及び調整対象となるチャンネルの切り替えに沿って調整操作を行っていけばよいので、調整モードの切り替えやチャンネルの切り替えに煩わされることなく、ネットワーク調整及び音の定位調整に集中することができ、そのネットワーク調整及び音の定位調整の一連作業を効率的に行うことができるようになる。更に、現在行うべき調整モードや有効となるチャンネルが表示部１１に表示されるようになるので、ユーザは、その表示内容に従って調整操作を行えるので、更に効率的な調整を行うことができる。
【００５０】
なお、再度のネットワーク調整に先立って、既に設定されているネットワークパラメータの補正（図３におけるＳ１８）は行わなくてもよい。ただし、その補正を行う場合、ユーザが行う再度のネットワーク調整を、ネットワークパラメータを微調整する程度で済ませることができるようになってネットワーク調整及び音の定位調整の一連作業を更に効率的に行うことができる点で好ましい。
【産業上の利用可能性】
【００５１】
以上、説明したように、本発明に係るオーディ装置は、ネットワーク調整及び音の定位調整の一連作業を効率的に行うための支援が可能となるという効果を有し、音出力の複数のチャンネルを有するオーディオ装置として有用である。
【符号の説明】
【００５２】
１０  処理ユニット（ＣＰＵ）
１１  調整メニュー表示部
１２  ユーザ操作部
１４  パラメータ記録部
１５  調整種別検出部
１６  ネットワーク設定部
１７  チャンネル切替設定部
１８  遅延設定部
１９  補正演算部
２０  Ｄ／Ａ変換部
２１ａ  第１のネットワーク部
２１ｂ  第２のネットワーク部
２２  チャンネル切替部
２３ａｔ、２３ａｗ、２３ｂｗ、２３ｂｔ  遅延部
２４ａｔ、２４ａｗ、２４ｂｗ、２３ｂｗ  アンプ部
２５Ｌ  左ツイータ
２５Ｒ  右ツイータ
２６Ｌ  左ウーハ
２６Ｒ  左ウーハ
１００  演奏ソース（音源）
【図１】
2010161451.tif 000003
【図２】
2010161451.tif 000004
【図３】
2010161451.tif 000005
【図４】
2010161451.tif 000006
【図５】
2010161451.tif 000007
【図６】
2010161451.tif 000008
【図７】
2010161451.tif 000009
【図８】
2010161451.tif 000010
【図９】
2010161451.tif 000011
【図１０】
2010161451.tif 000012